(57)【要約】【課題】  託児施設に預けた子供の体調や様子を保護者が外部から知ることを可能にする託児モニタシステム等を提供する。【解決手段】  託児モニタシステムは、子供用端末３０と、モニタカメラ２０と、託児所サーバ１０と、託児管理サーバ５０とを有する。託児所サーバ１０は、子供用端末３０から受信した固有の特定情報に基づいて子供用端末３０を特定し、その特定した子供用端末３０を装着している子供をカメラ２０に撮像させてイメージ情報を得るとともに、子供用端末３０から受信した体調データおよび固有の特定情報とカメラ２０から得たイメージ情報とを託児管理サーバ５０に送信する。託児管理サーバ５０は、固有の特定情報と情報送信先データとが対応付けられたリストデータを備えており、託児所サーバ１０から受信した体調データと固有の特定情報とイメージ情報とを、固有の特定情報に対応する情報送信先データを有するユーザ端末６０へ送信する。【選択図】図１
2005039508.tif 000002
【特許請求の範囲】
【請求項１】
託児施設に預けられている子供に装着され、該子供の体調を検知して得られる体調データと、固有の特定情報とを発信する子供用端末と、
特定の前記子供用端末を装着している子供を撮像する撮像手段と、
前記子供用端末および前記撮像手段と情報のやり取りを行う託児所サーバと、
前記託児所サーバに通信回線を介して接続されている託児管理サーバとを有する託児モニタシステムであって、
前記託児所サーバは、前記子供用端末から受信した前記固有の特定情報に基づいて前記子供用端末を特定し、該特定した子供用端末を装着している子供を前記撮像手段に撮像させてイメージ情報を得るとともに、前記子供用端末から受信した前記体調データおよび前記固有の特定情報と、前記撮像手段から得た前記イメージ情報とを前記託児管理サーバに送信するように構成されており、
前記託児管理サーバは、前記固有の特定情報と情報送信先データとが対応付けられたリストデータを予め備えており、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信するように構成されている託児モニタシステム。
【請求項２】
前記子供用端末は、前記子供用端末を装着している子供の体調を検知する体調センサと制御部とを有しており、該制御部は、前記体調センサで検出した前記子供の体温および／または脈拍の値が所定の値の範囲内にあるかどうかを判断し、所定の範囲内にないと判断した場合に警報信号を発信するように構成されている、請求項１に記載の託児モニタシステム。
【請求項３】
前記子供用端末は、前記子供用端末を装着している子供の音声を検知する音声センサと制御部とを有しており、該制御部は、前記音声センサで検知した前記子供の音声が所定の音声であるかどうかを判断し、所定の音声であると判断した場合に警報信号を発信するように構成されている、請求項１または２に記載の託児モニタシステム。
【請求項４】
前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、
前記託児管理サーバは、前記託児所サーバから受信した前記警報情報と前記体調データおよび前記固有の特定情報と前記イメージ情報とを、前記固有の特定情報に対応する前記情報送信先データを有する前記ユーザ端末へ送信するように構成されている、請求項２または３に記載の託児モニタシステム。
【請求項５】
前記託児所サーバは、前記警報情報を、前記子供用端末から受信した前記体調データおよび前記固有の特定情報と前記撮像手段から得た前記イメージ情報と共に、前記託児施設で前記子供を預かる保育士が携帯する保育士端末にも送信するように構成されている、請求項４に記載の託児モニタシステム。
【請求項６】
前記託児管理サーバは、前記体調データおよび前記イメージ情報の受信を要求する情報要求信号を前記ユーザ端末から受信すると、該情報要求信号を、該ユーザ端末が有する前記情報送信先データに対応する前記固有の特定情報とともに前記託児所サーバに送信し、
前記託児所サーバは、前記託児管理サーバから受信した前記固有の特定情報に基づいて前記子供用端末を特定し、該特定した子供用端末を装着している子供を前記撮像手段に撮像させてイメージ情報を得るとともに、前記特定した子供用端末から前記体調データを受信し、前記イメージ情報と前記体調データとを前記託児管理サーバに送信し、
前記託児管理サーバは、前記託児所サーバから受信した前記体調データおよび前記イメージ情報を、前記情報要求信号を送信した前記ユーザ端末へ送信するように構成されている、請求項１から５のいずれか１項に記載の託児モニタシステム。
【請求項７】
託児施設に預けられている子供に装着され、該子供の体調を検知して得られる体調データと、固有の特定情報とを発信する子供用端末と、
特定の前記子供用端末を装着している子供を撮像する撮像手段と、
前記子供用端末および前記撮像手段と情報のやり取りを行う託児所サーバと、
前記子供用端末が発信する前記固有の特定情報と情報送信先データとが対応付けられたリストデータを予め備えており、前記託児所サーバに通信回線を介して接続されている託児管理サーバとを有する託児モニタシステムを用いた託児モニタ方法であって、
前記託児所サーバが、前記子供用端末から受信した前記固有の特定情報に基づいて前記子供用端末を特定し、該特定した子供用端末を装着している子供を前記撮像手段に撮像させてイメージ情報を得るステップと、
前記託児所サーバが、前記子供用端末から受信した前記体調データおよび前記固有の特定情報と、前記撮像手段から得た前記イメージ情報とを前記託児管理サーバに送信するステップと、
前記託児管理サーバが、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信するステップとを有する託児モニタ方法。
【請求項８】
前記子供用端末は、前記子供用端末を装着している子供の体調を検知する体調センサと制御部とを有しており、
該制御部が、前記体調センサで検出した前記子供の体温および／または脈拍の値が所定の値の範囲内にあるかどうかを判断し、所定の範囲内にないと判断した場合に警報信号を発信するステップをさらに有している、請求項７に記載の託児モニタ方法。
【請求項９】
前記子供用端末は、前記子供用端末を装着している子供の音声を検知する音声センサと制御部とを有しており、
該制御部が、前記音声センサで検知した前記子供の音声が所定の音声であるかどうかを判断し、所定の音声であると判断した場合に警報信号を発信するステップをさらに有している、請求項７または８に記載の託児モニタ方法。
【請求項１０】
前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、
前記託児管理サーバが、前記託児所サーバから受信した前記警報情報と前記体調データおよび前記固有の特定情報と前記イメージ情報とを、前記固有の特定情報に対応する前記情報送信先データを有する前記ユーザ端末へ送信するステップをさらに有している、請求項８または９に記載の託児モニタ方法。
【請求項１１】
前記託児所サーバが、前記警報情報を、前記子供用端末から受信した前記体調データおよび前記固有の特定情報と前記撮像手段から得た前記イメージ情報と共に、前記託児施設で前記子供を預かる保育士が携帯する保育士端末にも送信するステップをさらに有している、請求項１０に記載の託児モニタ方法。
【請求項１２】
託児施設に預けられている子供に装着され、該子供の体調を検知して得られる体調データと、固有の特定情報とを発信する子供用端末と、
特定の前記子供用端末を装着している子供を撮像する撮像手段と、
前記子供用端末および前記撮像手段と情報のやり取りを行う託児所サーバと、
前記子供用端末が発信する前記固有の特定情報と情報送信先データとが対応付けられたリストデータを予め備えており、前記託児所サーバに通信回線を介して接続されている託児管理サーバとを有する託児モニタシステムを用いた託児モニタ方法であって、
前記託児管理サーバが、前記体調データおよび前記撮像手段が前記特定の子供を撮像することで得られるイメージ情報の受信を要求する情報要求信号を、前記通信回線を介して前記託児管理サーバに接続されているユーザ端末から受信すると、該情報要求信号を、該ユーザ端末が有する前記情報送信先データに対応する前記固有の特定情報とともに前記託児所サーバに送信するステップと、
前記託児所サーバが、前記託児管理サーバから受信した前記固有の特定情報に基づいて前記子供用端末を特定し、該特定した子供用端末を装着している子供を前記撮像手段に撮像させて前記イメージ情報を得るとともに、前記特定した子供用端末から前記体調データを受信し、前記イメージ情報と前記体調データとを前記託児管理サーバに送信するステップと、
前記託児管理サーバが、前記託児所サーバから受信した前記体調データおよび前記イメージ情報を、前記情報要求信号を送信した前記ユーザ端末へ送信するステップとを有する託児モニタ方法。
【請求項１３】
子供用端末および特定の前記子供用端末を装着している子供を撮像する撮像手段と情報のやり取りを行う託児所サーバが、託児施設に預けられている子供に装着され、該子供の体調を検知して得られる体調データと、固有の特定情報とを発信する子供用端末から受信した前記固有の特定情報に基づいて前記子供用端末を特定し、該特定した子供用端末を装着している子供を撮像手段に撮像させてイメージ情報を得る手順と、
前記託児所サーバが、前記子供用端末から受信した前記体調データおよび前記固有の特定情報と、前記撮像手段から得た前記イメージ情報とを、前記子供用端末が発信する前記固有の特定情報と情報送信先データとが対応付けられたリストデータを予め備えており、前記託児所サーバに通信回線を介して接続されている託児管理サーバに送信する手順と、
前記託児管理サーバが、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信する手順とを有する処理を実行させるためのコンピュータプログラム。
【請求項１４】
前記子供用端末は、前記子供用端末を装着している子供の体調を検知する体調センサと制御部とをさらに有しており、
該制御部が、前記体調センサで検出した前記子供の体温および／または脈拍の値が所定の値の範囲内にあるかどうかを判断し、所定の範囲内にないと判断した場合に警報信号を発信する手順をさらに有している、請求項１３に記載のコンピュータプログラム。
【請求項１５】
前記子供用端末は、前記子供用端末を装着している子供の音声を検知する音声センサと制御部とを有しており、
該制御部が、前記音声センサで検知した前記子供の音声が所定の音声であるかどうかを判断し、所定の音声であると判断した場合に警報信号を発信する手順をさらに有している、請求項１３または１４に記載のコンピュータプログラム。
【請求項１６】
前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、
前記託児管理サーバが、前記託児所サーバから受信した前記警報情報と前記体調データおよび前記固有の特定情報と前記イメージ情報とを、前記固有の特定情報に対応する前記情報送信先データを有する前記ユーザ端末へ送信する手順をさらに有している、請求項１４または１５に記載のコンピュータプログラム。
【請求項１７】
前記託児所サーバが、前記警報情報を、前記子供用端末から受信した前記体調データおよび前記固有の特定情報と前記撮像手段から得た前記イメージ情報と共に、前記託児施設で前記子供を預かる保育士が携帯する保育士端末にも送信する手順をさらに有している、請求項１６に記載のコンピュータプログラム。
【請求項１８】
託児施設に預けられている子供に装着され、該子供の体調を検知して得られた体調データと、固有の特定情報とを発信する子供用端末が発信する前記固有の特定情報とユーザ端末の情報送信先データとが対応付けられたリストデータを予め備えており、前記子供用端末および特定の前記子供用端末を装着している子供を撮像する撮像手段と情報のやり取りを行う託児所サーバに通信回線を介して接続されている託児管理サーバが、前記体調データおよび前記撮像手段が前記特定の子供を撮像することで得られるイメージ情報の受信を要求する情報要求信号を前記ユーザ端末から受信すると、該情報要求信号を、該ユーザ端末が有する前記情報送信先データに対応する前記固有の特定情報とともに前記託児所サーバに送信する手順と、
前記託児所サーバが、前記託児管理サーバから受信した前記固有の特定情報に基づいて前記子供用端末を特定し、該特定した子供用端末を所持している子供を前記撮像手段に撮像させて前記イメージ情報を得るとともに、前記子供用端末から前記体調データを受信し、前記イメージ情報と前記体調データとを前記託児管理サーバに送信する手順と、
前記託児管理サーバが、前記託児所サーバから受信した前記体調データおよび前記イメージ情報を、前記情報要求信号を送信した前記ユーザ端末へ送信する手順とを有する処理を実行させるためのコンピュータプログラム。
【発明の詳細な説明】
【技術分野】
【０００１】
本発明は、託児所や保育所等の託児施設に子供を預けた保護者が、その子供の様子を遠隔地から知ることを可能にする託児モニタシステム等に関するものである。
【背景技術】
【０００２】
従来、託児施設に預けた子供の様子を遠隔地から知るためのシステムとして、特許文献１に開示された画像情報提供装置が知られている。この画像情報提供装置は、情報提供サーバが、保護者が操作する画像表示端末からの要求に応じて、情報データベースから所定の手順で必要な付帯情報を読み出すと共に、撮像カメラを遠隔操作し、その保護者の子供の画像データを取り込み、その保護者の画像表示端末にその画像データを転送するように構成されている。これにより、施設内に預けられた複数の子供の中から、遠隔地にいる保護者が自分の子供の様子を直接的な視覚情報で視認できることを可能にしている。
【０００３】
この従来の画像情報提供装置によれば、保護者が自分の子供の様子を知りたいときにその子供の画像を入手でき、その画像を見ることによって、子供の現在の行動や様子を知ることができる。
【特許文献１】特開２００２−１９７５６５号公報
【発明の開示】
【発明が解決しようとする課題】
【０００４】
しかしながら、画像のみから知得できる情報には限界があり、保護者は送られてきた画像のみによっては子供の体調等を詳しく知ることはできない。
【０００５】
託児施設に預けた子供の体調が悪くなった場合や子供に異常が生じた場合、通常は、子供の異変に気付いた託児施設の保育士等によって、子供の体調悪化や異常発生が発見される。ところが、保育士等は、異変が生じた子供がいることを直ぐに発見することができないこともある。子供に異変が生じた場合、直ぐに対処すれば大事に至らなかったにもかかわらず、その発見が遅れて直ぐに対処できなかったときには、事態が悪化してしまう可能性もある。
【０００６】
そこで本発明は、託児施設に預けた子供の体調や様子を保護者が外部から知ることを可能にする託児モニタシステム等を提供することを目的とする。さらには、託児施設に預けた子供に異変が生じた場合に、子供に異変が生じたことをその子供の保護者や保育士等に直ちに知らせることを可能にする託児モニタシステム等を提供することを目的とする。
【課題を解決するための手段】
【０００７】
上記目的を達成するため、本発明の託児モニタシステムによれば、託児施設に預けられている子供に装着され、該子供の体調を検知して得られる体調データと、固有の特定情報とを発信する子供用端末と、特定の前記子供用端末を装着している子供を撮像する撮像手段と、前記子供用端末および前記撮像手段と情報のやり取りを行う託児所サーバと、前記託児所サーバに通信回線を介して接続されている託児管理サーバとを有する託児モニタシステムであって、
前記託児所サーバは、前記子供用端末から受信した前記固有の特定情報に基づいて前記子供用端末を特定し、該特定した子供用端末を装着している子供を前記撮像手段に撮像させてイメージ情報を得るとともに、前記子供用端末から受信した前記体調データおよび前記固有の特定情報と、前記撮像手段から得た前記イメージ情報とを前記託児管理サーバに送信するように構成されており、
前記託児管理サーバは、前記固有の特定情報と情報送信先データとが対応付けられたリストデータを予め備えており、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信するように構成されている。
【０００８】
上記本発明の託児モニタシステムによれば、託児所サーバは、子供用端末から受信した固有の特定情報に基づいて子供用端末を特定し、その特定した子供用端末を装着している子供を撮像手段に撮像させてイメージ情報を得るとともに、子供用端末から受信した体調データおよび固有の特定情報と、撮像手段から得たイメージ情報とを託児管理サーバに送信する。託児管理サーバは、託児所サーバから受信した体調データおよび固有の特定情報とイメージ情報とを、固有の特定情報に対応する情報送信先データを有するユーザ端末へ送信する。
【０００９】
このように、本発明の託児モニタシステムによれば、保護者が託児施設に預けた子供の体調や様子を、保護者が所持するユーザ端末に表示される体調データおよびイメージ情報によって外部から知ることができる。
【００１０】
また、前記子供用端末は、前記子供用端末を装着している子供の体調を検知する体調センサと制御部とを有しており、該制御部は、前記体調センサで検出した前記子供の体温および／または脈拍の値が所定の値の範囲内にあるかどうかを判断し、所定の範囲内にないと判断した場合に警報信号を発信するように構成されていてもよい。
【００１１】
また、前記子供用端末は、前記子供用端末を装着している子供の音声を検知する音声センサと制御部とを有しており、該制御部は、前記音声センサで検知した前記子供の音声が所定の音声であるかどうかを判断し、所定の音声であると判断した場合に警報信号を発信するように構成されていてもよい。
【００１２】
さらに、前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、前記託児管理サーバは、前記託児所サーバから受信した前記警報情報と前記体調データおよび前記固有の特定情報と前記イメージ情報とを、前記固有の特定情報に対応する前記情報送信先データを有する前記ユーザ端末へ送信するように構成されていてもよい。
【００１３】
この構成によれば、子供用端末を装着している子供に異常が生じると、その子供のイメージ情報とその異常に関する警報情報とが保護者のユーザ端末に送信されるので、その子供の保護者は、子供に異変が生じたことを直ちに知ることができる。
【００１４】
加えて、前記託児所サーバは、前記警報情報を、前記子供用端末から受信した前記体調データおよび前記固有の特定情報と前記撮像手段から得た前記イメージ情報と共に、前記託児施設で前記子供を預かる保育士が携帯する保育士端末にも送信するように構成されていてもよい。これにより、その子供を預かる保育士も、子供に異変が生じたことを直ちに知ることができる。
【００１５】
また、前記託児管理サーバは、前記体調データおよび前記イメージ情報の受信を要求する情報要求信号を前記ユーザ端末から受信すると、該情報要求信号を、該ユーザ端末が有する前記情報送信先データに対応する前記固有の特定情報とともに前記託児所サーバに送信し、前記託児所サーバは、前記託児管理サーバから受信した前記固有の特定情報に基づいて前記子供用端末を特定し、該特定した子供用端末を装着している子供を前記撮像手段に撮像させてイメージ情報を得るとともに、前記特定した子供用端末から前記体調データを受信し、前記イメージ情報と前記体調データとを前記託児管理サーバに送信し、前記託児管理サーバは、前記託児所サーバから受信した前記体調データおよび前記イメージ情報を、前記情報要求信号を送信した前記ユーザ端末へ送信するように構成されていてもよい。
【００１６】
この構成によれば、保護者は、子供の様子を知りたいときに情報要求信号をユーザ端末から送信することにより、子供のイメージ情報と体調データを得ることができる。
【００１７】
また、本発明の託児モニタ方法は、託児施設に預けられている子供に装着され、該子供の体調を検知して得られる体調データと、固有の特定情報とを発信する子供用端末と、特定の前記子供用端末を装着している子供を撮像する撮像手段と、前記子供用端末および前記撮像手段と情報のやり取りを行う託児所サーバと、前記子供用端末が発信する前記固有の特定情報と情報送信先データとが対応付けられたリストデータを予め備えており、前記託児所サーバに通信回線を介して接続されている託児管理サーバとを有する託児モニタシステムを用いた託児モニタ方法であって、
前記託児所サーバが、前記子供用端末から受信した前記固有の特定情報に基づいて前記子供用端末を特定し、該特定した子供用端末を装着している子供を前記撮像手段に撮像させてイメージ情報を得るステップと、前記託児所サーバが、前記子供用端末から受信した前記体調データおよび前記固有の特定情報と、前記撮像手段から得た前記イメージ情報とを前記託児管理サーバに送信するステップと、前記託児管理サーバが、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信するステップとを有する。
【００１８】
上記本発明の託児モニタ方法によれば、子供の体調データとイメージ情報が託児所サーバから託児管理サーバを経て保護者のユーザ端末に送信されるので、保護者は、託児施設に預けた子供の体調や様子をユーザ端末に表示される体調データおよびイメージ情報によって外部から知ることができる。
【００１９】
また、前記子供用端末は、前記子供用端末を装着している子供の体調を検知する体調センサと制御部とを有しており、該制御部が、前記体調センサで検出した前記子供の体温および／または脈拍の値が所定の値の範囲内にあるかどうかを判断し、所定の範囲内にないと判断した場合に警報信号を発信するステップをさらに有している構成としてもよい。
【００２０】
また、前記子供用端末は、前記子供用端末を装着している子供の音声を検知する音声センサと制御部とを有しており、該制御部が、前記音声センサで検知した前記子供の音声が所定の音声であるかどうかを判断し、所定の音声であると判断した場合に警報信号を発信するステップをさらに有している構成としてもよい。
【００２１】
さらに、前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、前記託児管理サーバが、前記託児所サーバから受信した前記警報情報と前記体調データおよび前記固有の特定情報と前記イメージ情報とを、前記固有の特定情報に対応する前記情報送信先データを有する前記ユーザ端末へ送信するステップをさらに有している構成としてもよい。
【００２２】
この構成によれば、子供用端末を装着している子供に異常が生じると、その子供のイメージ情報とその異常に関する警報情報とが保護者のユーザ端末に送信されるので、その子供の保護者は、子供に異変が生じたことを直ちに知ることができる。
【００２３】
また、前記託児所サーバが、前記警報情報を、前記子供用端末から受信した前記体調データおよび前記固有の特定情報と前記撮像手段から得た前記イメージ情報と共に、前記託児施設で前記子供を預かる保育士が形態する保育士端末にも送信するステップをさらに有している構成としてもよい。これにより、子供を預かる保育士も、子供に異変が生じたことを直ちに知ることができる。
【００２４】
また、本発明の他の託児モニタ方法は、託児施設に預けられている子供に装着され、該子供の体調を検知して得られる体調データと、固有の特定情報とを発信する子供用端末と、特定の前記子供用端末を装着している子供を撮像する撮像手段と、前記子供用端末および前記撮像手段と情報のやり取りを行う託児所サーバと、前記子供用端末が発信する前記固有の特定情報と情報送信先データとが対応付けられているリストデータを予め備えており、前記託児所サーバに通信回線を介して接続されている託児管理サーバとを有する託児モニタシステムを用いた託児モニタ方法であって、
前記託児管理サーバが、前記体調データおよび前記撮像手段が前記特定の子供を撮像することで得られるイメージ情報の受信を要求する情報要求信号を、前記通信回線を介して前記託児管理サーバに接続されているユーザ端末から受信すると、該情報要求信号を、該ユーザ端末が有する前記情報送信先データに対応する前記固有の特定情報とともに前記託児所サーバに送信するステップと、前記託児所サーバが、前記託児管理サーバから受信した前記固有の特定情報に基づいて前記子供用端末を特定し、該特定した子供用端末を装着している子供を前記撮像手段に撮像させて前記イメージ情報を得るとともに、前記特定した子供用端末から前記体調データを受信し、前記イメージ情報と前記体調データとを前記託児管理サーバに送信するステップと、前記託児管理サーバが、前記託児所サーバから受信した前記体調データおよび前記イメージ情報を、前記情報要求信号を送信した前記ユーザ端末へ送信するステップとを有する。
【００２５】
この構成によれば、保護者は、子供の様子を知りたいときに情報要求信号をユーザ端末から送信することにより、子供のイメージ情報と体調データを得ることができる。
【００２６】
また、本発明のコンピュータプログラムは、子供用端末および特定の前記子供用端末を装着している子供を撮像する撮像手段と情報のやり取りを行う託児所サーバが、託児施設に預けられている子供に装着され、該子供の体調を検知して得られる体調データと、固有の特定情報とを発信する子供用端末から受信した前記固有の特定情報に基づいて前記子供用端末を特定し、該特定した子供用端末を装着している子供を撮像手段に撮像させてイメージ情報を得る手順と、
前記託児所サーバが、前記子供用端末から受信した前記体調データおよび前記固有の特定情報と、前記撮像手段から得た前記イメージ情報とを、前記子供用端末が発信する前記固有の特定情報と情報送信先データとが対応付けられたリストデータを予め備えており、前記託児所サーバに通信回線を介して接続されている託児管理サーバに送信する手順と、
前記託児管理サーバが、前記託児所サーバから受信した前記体調データおよび前記固有の特定情報と前記イメージ情報とを、前記固有の特定情報に対応する前記情報送信先データを有する、前記通信回線を介して前記託児管理サーバに接続されているユーザ端末へ送信する手順とを有する処理を実行させるためのコンピュータプログラムである。
【００２７】
また、前記子供用端末は、前記子供用端末を装着している子供の体調を検知する体調センサと制御部とを有しており、該制御部が、前記体調センサで検出した前記子供の体温および／または脈拍の値が所定の値の範囲内にあるかどうかを判断し、所定の範囲内にないと判断した場合に警報信号を発信する手順をさらに有している構成としてもよい。
【００２８】
また、前記子供用端末は、前記子供用端末を装着している子供の音声を検知する音声センサと制御部とを有しており、該制御部が、前記音声センサで検知した前記子供の音声が所定の音声であるかどうかを判断し、所定の音声であると判断した場合に警報信号を発信する手順をさらに有している構成としてもよい。
【００２９】
さらに、前記託児所サーバは、前記警報信号を受信すると該警報信号に基づいて警報情報を生成し、該警報情報を、前記子供用端末から受信した前記体調データおよび前記固有の特定情報と前記撮像手段から得た前記イメージ情報と共に、前記託児管理サーバに送信するように構成されており、前記託児管理サーバが、前記託児所サーバから受信した前記警報情報と前記体調データおよび前記固有の特定情報と前記イメージ情報とを、前記固有の特定情報に対応する前記情報送信先データを有する前記ユーザ端末へ送信する手順をさらに有している構成としてもよい。
【００３０】
また、前記託児所サーバが、前記警報情報を、前記子供用端末から受信した前記体調データおよび前記固有の特定情報と前記撮像手段から得た前記イメージ情報と共に、前記託児施設で前記子供を預かる保育士が携帯する保育士端末にも送信する手順をさらに有している構成としてもよい。
【００３１】
また、本発明の他のコンピュータプログラムは、託児施設に預けられている子供に装着され、該子供の体調を検知して得られた体調データと、固有の特定情報とを発信する子供用端末が発信する前記固有の特定情報とユーザ端末の情報送信先データとが対応付けられたリストデータを予め備えており、前記子供用端末および特定の前記子供用端末を装着している子供を撮像する撮像手段と情報のやり取りを行う託児所サーバに通信回線を介して接続されている託児管理サーバが、前記体調データおよび前記撮像手段が前記特定の子供を撮像することで得られるイメージ情報の受信を要求する情報要求信号を前記ユーザ端末から受信すると、該情報要求信号を、該ユーザ端末が有する前記情報送信先データに対応する前記固有の特定情報とともに前記託児所サーバに送信する手順と、
前記託児所サーバが、前記託児管理サーバから受信した前記固有の特定情報に基づいて前記子供用端末を特定し、該特定した子供用端末を所持している子供を前記撮像手段に撮像させて前記イメージ情報を得るとともに、前記子供用端末から前記体調データを受信し、前記イメージ情報と前記体調データとを前記託児管理サーバに送信する手順と、
前記託児管理サーバが、前記託児所サーバから受信した前記体調データおよび前記イメージ情報を、前記情報要求信号を送信した前記ユーザ端末へ送信する手順とを有する処理を実行させるためのコンピュータプログラムである。
【発明の効果】
【００３２】
本発明によれば、保護者が託児施設に預けた子供の体調や様子を、保護者が所持するユーザ端末に表示される体調データおよびイメージ情報によって知ることができる。
【発明を実施するための最良の形態】
【００３３】
まず、本実施形態の託児モニタシステムの構成および機能について説明する。
【００３４】
図１は、本発明の託児モニタシステムの一実施形態の概略構成を示す図である。図１に示すように、本実施形態のシステムは、託児所等の託児施設に設置される託児所サーバ１０と、託児管理サービス業者等に設置される託児管理サーバ５０とを有している。託児所サーバ１０と託児管理サーバ２０とは、インターネット等の通信回線７０を介して互いに接続されている。
【００３５】
託児施設にはさらに、託児施設内の子供を撮影するための撮像手段であるモニタカメラ２０と、託児施設内の各々の子供が携帯する子供用端末３０と、託児施設内で子供を預かる保育士等が携帯する保育士用端末４０とが備えられている。モニタカメラ２０は託児所サーバ１０に有線または無線によって接続され、各端末３０，４０は託児所サーバ１０に無線によって接続されている。ここで、「無線」とは無線ＬＡＮや赤外線通信等の無線通信手段による通信をいう。
【００３６】
ここで、子供用端末３０の構成について図２を参照して説明する。図２は、図１に示した子供用端末の構成を示す図である。
【００３７】
図２に示すように、子供用端末３０は、子供用端末３０を装着している子供の体調を検知する体調センサ３１と、子供の音声を検知する音声センサ３２と、子供の現在位置情報を発信する位置発信部３３とを有している。
【００３８】
体調センサ３１は、例えば体温を検知する検温器や脈拍を検出する脈拍センサ等からなる。体調センサ３１は、子供が子供用端末３０を装着したときにその子供の皮膚に接触するように設けられている。また、音声センサ３２は例えば小型で高感度のマイク等からなり、子供が発する音声を集音することが可能になっている。また、位置発信部３３は、各々の子供用端末３０ごとに、各子供用端末３０を特定するために固有の周波数の信号を発信するように構成されている。この固有周波数の信号には、各子供用端末３０を特定する固有の特定情報（ＩＤ番号等）も含まれている。
【００３９】
子供用端末３０は、制御部３４と送信部３５をさらに有している。制御部３４は、体調センサ３１で検知した体温や脈拍の値が所定の値の範囲内にあるかどうかを判断し、所定の範囲内にないと判断した場合に警報信号を送信部３５から発信させるように構成されている。制御部３４にはメモリ等の記憶部（不図示）が備えられており、その記憶部には上記の判断基準となる体温や脈拍の値が予め記憶されている。
【００４０】
また、制御部３４は、音声センサ３２で検知した音声が所定の音声であるかどうかを判断し、所定の音声であると判断した場合にも警報信号を送信部３５から発信させるように構成されている。所定の音声は、例えば「痛い」「熱い」「寒い」「苦しい」等であり、これらの音声データは制御部３４の記憶部（不図示）に予め記憶されている。制御部３４は、音声センサ３２で検知した音声の音声認識処理を行い、記憶部（不図示）に予め記憶されている所定の音声のいずれかに該当すると判断した場合に、警報信号を送信部３５から発信させる。
【００４１】
送信部３５から発信される警報信号には、体調センサ３１で検出した体温や脈拍の値（体調データ）や音声センサ３２で検知した音声のほか、その警報信号を発する子供用端末３０を特定する固有の特定情報も含まれている。この固有の特定情報は、上述した固有周波数の信号に含まれている固有の特定情報（ＩＤ番号等）と同じ情報である。送信部３５から発信された警報信号は、託児所サーバ１０が備える受信部（不図示）によって受信される。
【００４２】
なお、子供用端末３０は例えば腕時計のような形態に構成されており、子供の腕にバンド等によって巻き付けるようにして固定される。
【００４３】
再び図１を参照すると、託児所サーバ１０は、子供用端末３０から上記の警報信号が送信されてくると、警報信号を送信した子供用端末３０をその警報信号に含まれている特定情報に基づいて特定し、その子供用端末３０を装着している子供をモニタカメラ２０に撮影させるように構成されている。託児所サーバ１０の記憶部（不図示）には、子供用端末３０ごとに割り振られている固有の特定情報と固有周波数とが関連付けられているリストデータが記憶されており、託児所サーバ１０は特定した子供用端末３０が有する固有周波数のデータをモニタカメラ２０の制御部（不図示）に送信する。
【００４４】
モニタカメラ２０の制御部は、その固有周波数値を受信すると、モニタカメラ２０が有する指向性のアンテナ（不図示）を走査させて、その固有周波数の信号を発信する子供用端末３０を検出する。モニタカメラ２０は、このように検出した子供用端末３０の方向にその撮像方向を向け、このとき撮影される被写体に自動的に焦点を合わせるように構成されている。モニタカメラ２０は、このようにして、警報信号を送信した子供用端末３０を装着している子供を撮影する。モニタカメラ２０によって撮影された子供のイメージ情報（画像あるいは映像の情報）は、モニタカメラ２０から託児所サーバ１０に送られ、託児所サーバ１０の記憶部（不図示）に記憶される。
【００４５】
託児所サーバ１０は、さらに、子供用端末３０から送信されてきた警報信号に基づいて警報情報を生成するように構成されている。警報情報は、例えば「大森花子ちゃんの体温が３８℃を越えています」や「中村太郎くんが『寒い』と言っています」等である。生成された警報情報は、託児所サーバ１０の記憶部（不図示）に記憶される。さらに託児所サーバ１０は、記憶部に記憶されたイメージ情報と警報情報とを保育士用端末４０と託児管理サーバ５０とに送信するように構成されている。
【００４６】
保育士用端末４０は、託児所サーバ１０からイメージ情報と警報情報を受信すると、そのイメージ情報（画像あるいは映像）と警報情報とを表示部（不図示）に表示するように構成されている。保育士用端末４０は、イメージ情報と警報情報を受信したときに、保育士等に受信を知らせる音や振動を発するように構成されていてもよい。
【００４７】
また、託児管理サーバ５０は、託児所等に預けられる子供ごとに与えられている、各子供が装着する子供用端末３０を特定する固有の特定情報と、その特定情報で特定される子供用端末３０を装着する子供の氏名と、その子供の保護者が有するユーザ端末６０のメールアドレス（情報送信先データ）とを含むリストデータが予め記憶部（不図示）に記憶されている。託児管理サーバ５０は、託児所サーバ１０からイメージ情報と警報情報を受信すると、その警報情報に含まれる特定情報を抽出し、抽出した特定情報と同じ特定情報をリストデータの中から検索し、該当する特定情報に対応付けられている保護者のユーザ端末６０のメールアドレス（情報送信先データ）を読み出すようになっている。託児管理サーバ５０は、このようにして読み出したメールアドレス宛に、託児所サーバ１０から受信したイメージ情報と警報情報を送信する。
【００４８】
保護者のユーザ端末６０は、各サーバ１０，５０と同じく通信回線７０に接続されており、託児管理サーバ５０から送信されたイメージ情報と警報情報は、この通信回線７０を介してユーザ端末６０に送られる。ユーザ端末６０は、保育士用端末４０と同様に、託児管理サーバ５０からイメージ情報と警報情報を受信すると、そのイメージ情報（画像あるいは映像）と警報情報とを表示部（不図示）に表示するように構成されている。ユーザ端末６０も、イメージ情報と警報情報を受信したときに、保護者に受信を知らせる音や振動を発するように構成されていてもよい。
【００４９】
また、上記に加えて、ユーザ端末６０は、保護者が子供の様子を知りたいときに子供のイメージ情報と体調データ（体温や脈拍等）を要求する情報要求信号を送信することができるように構成されている。
【００５０】
託児管理サーバ５０は、ユーザ端末６０から情報要求信号を受信すると、託児管理サーバ５０の記憶部に記憶されたリストデータに基づいて、その保護者のユーザ端末６０のメールアドレス（情報送信先データ）に対応する特定情報を検索して、イメージ情報と体調データを取得する子供の子供用端末３０を特定し、その特定情報と共に情報要求信号を託児所サーバ１０に送信するように構成されている。さらに、託児管理サーバ５０は、託児所サーバ１０から送られてくるイメージ情報と体調データを、情報要求信号を送信したユーザ端末６０に送信するように構成されている。
【００５１】
また、託児所サーバ１０は、託児管理サーバ５０から送信された特定情報および情報要求信号に従って、当該子供用端末３０を所持する子供の画像をモニタカメラ２０に撮影させるとともに、子供用端末３０から、体調センサ３１で検知している体調データ（体温や脈拍等）を取得するように構成されている。さらに、託児所サーバ１０は、子供のイメージ情報と体調データを託児管理サーバ５０に送信するように構成されている。
【００５２】
なお、託児所サーバ１０の記憶部と託児管理サーバ５０の記憶部には、下記に説明する本実施形態の託児モニタ方法を本システムに実行させるプログラムが格納されている。そのプログラムはハードウェアである託児所サーバ１０や託児管理サーバ５０の動作を制御するものであり、プログラム制御されたその託児所サーバ１０や託児管理サーバ５０は、プログラムにより指令される特定の処理を行う。
【００５３】
次に、図３を参照して、上記に説明したシステムを用いた託児モニタ方法について説明する。図３は、図１に示した託児モニタシステムを用いた託児モニタ方法を説明するためのフローチャートである。
【００５４】
まず、子供用端末３０は、体調センサ３１や音声センサ３２によって子供の異変を検出すると、送信部３５から警報信号を発信する（ステップ１）。託児所サーバ１０は、子供用端末３０から上記の警報信号を受信すると、託児所サーバ１０の記憶部（不図示）に記憶されている、子供用端末３０ごとに割り振られているリストデータに基づいて、警報信号を送信した子供用端末３０をその警報信号に含まれている固有の特定情報から特定し、特定した子供用端末３０が有する固有周波数のデータをモニタカメラ２０の制御部（不図示）に送信する（ステップ２）。
【００５５】
モニタカメラ２０は、その固有周波数値を受信すると、モニタカメラ２０が有する指向性のアンテナ（不図示）を走査させて、その固有周波数の信号を発信する子供用端末３０を検出し、このように検出した子供用端末３０の方向にその撮像方向を向け、このとき撮影される被写体に自動的に焦点を合わせることにより、警報信号を送信した子供用端末３０を携帯している子供を撮影する（ステップ３）。そして、モニタカメラ２０は、撮影した子供のイメージ情報（画像あるいは映像の情報）を託児所サーバ１０に送信する（ステップ４）。託児所サーバ１０は、受信したイメージ情報を自身の記憶部（不図示）に記憶する。
【００５６】
託児所サーバ１０は、子供用端末３０から送信されてきた警報信号に基づいて、例えば「大森花子ちゃんの体温が３８℃を越えています」や「中村太郎くんが『寒い』と言っています」等の警報情報を生成する（ステップ５）。生成された警報情報は、託児所サーバ１０の記憶部（不図示）に記憶される。託児所サーバ１０は、記憶部に記憶したイメージ情報と警報情報とを、保育士用端末４０と託児管理サーバ５０とに送信する（ステップ６）。
【００５７】
保育士用端末４０は、託児所サーバ１０からイメージ情報と警報情報を受信すると、そのイメージ情報（画像あるいは映像）と警報情報とを表示部（不図示）に表示する（ステップ７）。このとき、保育士用端末４０は、保育士等に受信を知らせる音や振動を発してもよい。
【００５８】
託児管理サーバ５０は、託児所サーバ１０からイメージ情報と警報情報を受信すると、その警報情報に含まれる特定情報を抽出し、抽出した特定情報と同じ特定情報を託児管理サーバ５０の記憶部に記憶されている上述したリストデータの中から検索し、該当する特定情報に対応付けられている保護者のユーザ端末６０のメールアドレス（情報送信先データ）を読み出す（ステップ８）。そして、託児管理サーバ５０は、このようにして読み出したメールアドレスを有するユーザ端末６０宛に、託児所サーバ１０から受信したイメージ情報と警報情報を送信する（ステップ９）。
【００５９】
ユーザ端末６０は、託児管理サーバ５０からイメージ情報と警報情報を受信すると、そのイメージ情報（画像あるいは映像）と警報情報とを表示部（不図示）に表示する（ステップ１０）。ユーザ端末６０も、イメージ情報と警報情報を受信したときに、保護者に受信を知らせる音や振動を発してもよい。
【００６０】
このように、上記に説明したシステムを用いた託児モニタ方法によれば、子供用端末３０を装着している子供に異常が生じると、その子供のイメージ情報とその異常に関する所定の情報とが保育士用端末４０と保護者のユーザ端末６０とに自動的に送信されるので、その子供の保護者や保育士等は、子供に異変が生じたことを直ちに知ることができる。
【００６１】
また、本実施形態のシステムによれば、保護者は子供の様子を知りたいときに子供のイメージ情報と体調データ（体温や脈拍等）を得ることができる。図４を参照して、上記に説明したシステムを用いた他の託児モニタ方法について説明する。図４は、図１に示した託児モニタシステムを用いた他の託児モニタ方法を説明するためのフローチャートである。
【００６２】
まず、保護者は、子供の様子を知りたいときに、ユーザ端末６０から託児管理サーバ５０へ子供のイメージ情報と体調データ（体温や脈拍等）を要求する情報要求信号を送信する（ステップ１１）。
【００６３】
託児管理サーバ５０は、ユーザ端末６０から情報要求信号を受信すると、託児管理サーバ５０の記憶部に記憶されたリストデータに基づいて、その保護者のユーザ端末６０のメールアドレス（情報送信先データ）に対応する固有の特定情報を検索して、イメージ情報と体調データを取得する子供の子供用端末３０を特定し、その固有の特定情報と共に情報要求信号を託児所サーバ１０に送信する（ステップ１２）。
【００６４】
託児所サーバ１０は、託児管理サーバ５０から送信された固有の特定情報および情報要求信号に従って、当該子供用端末３０を所持する子供の画像をモニタカメラ２０に撮影させるとともに、子供用端末３０から、体調センサ３１で検知している体調データ（体温や脈拍等）を取得する（ステップ１３）。そして、託児所サーバ１０は、子供のイメージ情報と体調データを託児管理サーバ５０に送信する（Ｓ１４）。
【００６５】
託児管理サーバ５０は、託児所サーバ１０からイメージ情報と体調データを受信したら、これらの情報を、情報要求信号を送信したユーザ端末６０に送信する（Ｓ１５）。
【００６６】
ユーザ端末６０は、託児管理サーバ５０からイメージ情報と体調データを受信すると、そのイメージ情報（画像あるいは映像）と体調データとを表示部（不図示）に表示する（ステップＳ１６）。
【００６７】
このように、上記に説明したシステムを用いた託児モニタ方法によれば、保護者は子供の様子を知りたいときに子供のイメージ情報と体調データ（体温や脈拍等）を得ることができる。
【００６８】
なお、上記では託児所や保育所等の託児施設に子供を預ける場合について説明したが、本システムは養護施設や老人介護施設等においても同様に用いることができる。
【図面の簡単な説明】
【００６９】
【図１】本発明の託児モニタシステムの一実施形態の概略構成を示す図である。
【図２】図１に示した子供用端末の構成を示す図である。
【図３】図１に示した託児モニタシステムを用いた託児モニタ方法を説明するためのフローチャートである。
【図４】図１に示した託児モニタシステムを用いた他の託児モニタ方法を説明するためのフローチャートである。
【符号の説明】
【００７０】
１０    託児所サーバ
２０    モニタカメラ
３０    子供用端末
３１    体調センサ
３２    音声センサ
３３    位置発信部
３４    制御部
３５    送信部
４０    保育士用端末
５０    託児管理サーバ
６０    ユーザ端末
７０    通信回線
【図１】
2005039508.tif 000003
【図２】
2005039508.tif 000004
【図３】
2005039508.tif 000005
【図４】
2005039508.tif 000006